(57)【要約】【課題】吊り具付き花入れを変幻自在にさせることによって、好みの花を好みの生け方にすることができる吊り具付き花入れを提供する。【解決手段】吊り具１と花入れ２とからなる吊り具付き花入れ。吊り具１は長軸６の上端の引っ掛け部７と、下端のＶ字状の被引っ掛け部８と、該被引っ掛け部８の先端の支持部９と、この支持部９とこれに対向している長軸６との間に形成された挿入部１５とからなる引っ掛け部材３と、前記支持９の外側に水平状に溶着されているリング１１からなる受け部材４とによってなる。花入れ２は前記リング１１に係止する断面が円形で、底部２２に向かって細くなっているテーパ面を有する適当な大きさの側面２１と、この側面の上端に続く肩部２３と、この肩部２３の中央に有する口部２４とからなる。【選択図】  図１
2004337226.tif 000002
【特許請求の範囲】
【請求項１】
引っ掛け部と、他の吊り具の引っ掛け部を受けることが可能な被引っ掛け部と、該被引っ掛け部の側方に有する花入れの止め部とを線状部材で形成している吊り具と、前記止め部に係合する花入れとからなる吊り具付き花入れ。
【請求項２】
前記止め部が環状に形成されている請求項１記載の吊り具付き花入れ。
【請求項３】
前記引っ掛け部と前記被引っ掛け部が長軸を介して形成されている請求項１記載の吊り具つき花入れ。
【請求項４】
前記被引っ掛け部は略Ｖ字状に形成され、該被引っ掛け部の先端に前記止め部を有している請求項１記載の吊り具つき花入れ。
【請求項５】
花入れの側面が底部に向かって細くなっているテーパ面で形成されている支持用花入れ。
【発明の詳細な説明】
【０００１】
【発明の属する技術分野】
本発明は天井や壁などに設けられているフックなどに引っ掛けて使用する吊り具付き花入れおよび花入れに関する。
【０００２】
【従来の技術】
従来の吊り具付き花入れとしては、容器形の吊り具の中に実質的な花入れとなる内容器を入れたものがある。
この種の吊り具付き花入れは外観が変化しないから、花や生け方が吊り具の形態に見合うものに限定され、単調になりがちであった。また吊り具の中に収納されている内容器は美観上、吊り具から見えないように埋没して収納されており、また安定感を得るために吊り具と内容器の間の隙間はほとんど無いので、内容器の出し入れは非常に煩雑な作業になっている。特に内容器の中の水が入っている時は、内容器を誤って落下させたり、水をこぼさないように神経を使うことになる。
【０００３】
【発明が解決しようとする課題】
本発明は単調になりがちな従来の吊り具付き花入れを変幻自在にさせることによって、好みの花を好みの生け方にすることができる吊り具付き花入れを提供すると共に、前記吊り具などに非常に使い勝手のよい花入れを提供することを技術的課題としている。
【０００４】
【課題を解決するための手段】
本発明の吊り具付き花入れ（請求項１）は引っ掛け部と、別体の吊り具の引っ掛け部を受けることが可能な被引っ掛け部と、該被引っ掛け部の側方に有する花入れの止め部を線材で一体形成し、前記止め部に係合する花入れとからなることを特徴としている。前記止め部は環状に形成されているのが望ましい（請求項２）。また前記引っ掛け部と前記被引っ掛け部が長軸を介して一体形成されているのが好ましい（請求項３）。さらに前記被引っ掛け部は略Ｖ字状に形成され、該被引っ掛け部の先端に前記止め部を有しているのが好ましい（請求項４）。本発明の支持用花入れ（請求項５）は側面が底部に向かって細くなっているテーパ面で形成され、該底部が尖角形状または花入れが自立不能な湾曲面および平面であることを特徴としている。
【０００５】
【作用および発明の効果】
本発明の吊り具付き花入れ（請求項１）では、被引っ掛け部を有しているので、他の吊り具を該被引っ掛け部に引っ掛けることが可能になっている。したがって吊り具は単体で使用することも複数で使用することもできるから、吊り具の外観を変化させることができる。また従来の吊り具付き花入れが単体で使用していたため、単調な花飾りしかできなかったのが、吊り具を連結することによって変幻自在に花を生けることができる。さらに前記止め部は被引っ掛け部の側方に位置し、引っ掛け部からは離れているので、引っ掛け部を壁などに取り付けられているフックなどに引っ掛けて吊るしたり、または他の吊り具の被引っ掛け部に引っ掛けて連結したりするとき、上記作業は簡単かつ迅速に行なうことができる。また吊り具同士の連結部分は止め部に支持される花入れの側方にあるので、花入れによって煩雑な連結部を不外見にすることができる。
【０００６】
前記吊り具の止め部が線材で環状に形成されている場合（請求項２）、止め部は底がないので、花入れは止め部より下方へ突き出た状態で支持される。したがって花の種類や生け方によって花入れを選択することができるから、花入れと花を一体的に観賞することができる。また花入れを止め部より取り出すときは、花入れの底部を下方より上方へ押して持ち上げることができるので、安心して花入れを止め部より取り出すことができる。
【０００７】
前記引っ掛け部と前記被引っ掛け部が長軸を介して形成されている吊り具（請求項３）の場合、吊り具付き花入れの重心は低くなる。つまり吊り具の花入れの位置は被引っ掛け部の側方にあるので、吊り状態は傾斜することになるが、上記のように重心が低くなると、吊り具は傾斜角度が小さくなり、また花入れも傾斜角度も小さくなるので、安定しやすくなる。なお長軸の長さが長くなればなるほど、吊り具付きの花入れの重心は下方に移動して傾斜角度は小さくなるので、一層、安定感を増すことになる。
【０００８】
前記被引っ掛け部が略Ｖ字状に形成され、該被引っ掛け部の先端に前記止め部を有している場合（請求項４）、被引っ掛け部の上部は大きく開口し、かつ下部に向けて傾斜しているので、別の吊り具の引っ掛け部は被引っ掛け部の内側を摺動して底部に掛止することが可能になっている。したがって上記引っ掛け部は被引っ掛け部に連結するのが簡単かつ確実に行うことができる。また引っ掛け部は被引っ掛け部の底部の狭いところに直接、掛止させなくてもよいので、煩雑な作業は不要である。
【０００９】
本発明の支持用花入れ（請求項５）は、側面が底部に向かって細くなっているテーパ面で形成されているので、この花入れに生けられる花は底部の中央に集中し、集束状態になる。したがってこれまでは花の茎の下端を固定するのに剣山を使用していたのが不要になったので、手軽に生けることができるようになった。特に長身の花入れは剣山の出し入れが非常に困難であるから、花の茎の下端を集束できる本発明の作用効果は甚大である。また上記支持用花入れは側面の横断面の形状の外周と同じ形あるいは相似形をその内周に形成しているリングあるいは孔を有する支持部材に対しては、花入れの大きさに関係なく側面のどこかの部分が係合するので、専用の支持具は不要である。また花入れの中に水や花が入ることによって上記支持部材と花入れの側面との密着度は高くなるので、一層安定感を増すことになる。
また支持用花入れは底部が細くなっているので、上記支持部材の中に入リ易く、また側面は支持部材の内周を摺接しながら降下することができるので、支持部材の中のどこに挿入しても、確実に係止させることができる。
【００１０】
【発明の実施の形態】
つぎに図面を参照しながら本発明の吊り具付き花入れの実施形態を説明する。図１は本発明の吊り具付き花入れの一実施形態を示す斜視図、図２図ａは図１の吊り具の側面図、図２ｂは同平面図、図３は本実施形態の使用状態を示す吊り具付き花入れの斜視図、図４ａは吊り具の使用例示図、図４ｂは連結方法の説明図、図５は花入れの説明図、図６ａおよび図６ｂは本発明の花入れの一実施形態を示す斜視図、図７は花入れの使用状態を示す斜視図である。
【００１１】
図１に示す吊り具付き花入れは金属製の線材で形成された吊り具１とこれに係合する透明のガラス製あるいは合成樹脂製など軽量の素材でなる透明で、水漏れがしない花入れ２とからなる。
さらに以下に詳述する。図１乃至図２ａに示すように、吊り具１は引っ掛け部材３とこの引っ掛け部材に脱着自在の花入れ２を係止する受け部材４とを別々の線材によって形成し、それらを一体化してなっている。
【００１２】
前記引っ掛け部材３は一本の線材５を折り曲げることによって、長軸６と、該長軸の上端に下方が開放している略円形の鉤状の引っ掛け部７と、同下端にＶ字状の被引っ掛け部８と、該被引っ掛け部の先端に長軸６に平行している支持部９を形成してなっている。また図２ｂに示すように吊り具１を平面から見たとき引っ掛け部７は被引っ掛け部８に対し垂直方向に向いている。
【００１３】
前記長軸６の長さは図２ａに示すように花入れ２が受け部材４より抜け出ない程度に安定状態が確保できる長さになっている。つまり花入れ２は長軸６の側方に位置しているので、吊り具１を吊り状態で支持した場合傾斜するが、本実施形態の長軸６の長さは傾斜角度が比較的小さく、また受け部材４の傾斜角度もそれに応じて小さくなるようにそれ相当の長さになっている。なお、長軸６の長さについては、短すぎるとその傾斜角度は大きくなって、花入れ２が受け部材４から抜け出ることになるので、花入れが受け部より抜け出ないように安定することができるならば長軸６の長さは本実施形態にとどまらない。
【００１４】
被引っ掛け部８は図２ａに示すように、底部１２は引っ掛け部７が嵌入できる程度に小さく湾曲形成された掛合部１３を形成している。この掛合部１３の一側は前記長軸６の延長線上にあり、かつ同じ軸方向あるのに対し、他側はこの掛合部に向かって外側上方より傾斜している引っ掛け部７の誘導部１４を形成している。その誘導部１４の先端には長軸６と平行している支持部９を有している。つまり掛合部１３の上方は大きく開口し、別の吊り具１の引っ掛け部７が挿入することが可能な挿入部１５になっている。
【００１５】
受け部材４は図２ｂに示すように別の線材１０によって前記花入れ２の側面を係止することができる円形のリング１１を形成している。リング１１は図２ａにも示すように前記支持部９の外側に水平状態で溶着されていて、被引っ掛け部８の底部１２よりも少し上方に位置している。明らかなように受け部材４と長軸６との間には前記挿入部１５が形成されている。
【００１６】
花入れ２は図１に示すように側面２１の形状が底部２２に向かって細くなっている略円錐形になっている。またその内側も底部に向かって細くなっている。側面２１の上端には肩部２３が連続形成され、この肩部の中央には天方向に開口している小径の首状の口部２４を有している。底部２２はアール形成されている。つまりこの花入れ２２は自立することができず、支持されることによって花入れの機能が実現できる形態になっている。花入れ２の大きさは前記吊り具１のリング１１に側面２１の上部が係止可能になっている。またその係止状態において口部２４が挿入部１５より上方に位置し、かつ底部が掛合部１３より下方に位置する大きさあるいは高さになっている。
【００１７】
次に実施形態の吊り具付き花入れの使用方法について説明する。
図３に示すように吊り具１を天井Ｔなどに設けたフックＨなどに吊って単体で使用する場合、長軸６は傾斜し、また花入れ２も傾斜した状態となる。花入れ２の口部２４と底部２２の中心を結ぶ中心線Ｃは長軸にほとんど平行しているので、口部２４上方斜め方向から花を挿入することができる。つまり、長軸６が傾斜していることで花入れ２の口部２４が天を向いていないので、比較的長身の花であっても天井が障害になることなく口部への挿入を簡単に行なえ、また天井につかえて折れたりするなどの心配もない。このように長身の花Ｆによって、正面Ｓ方向からは長軸６が不外見となり、また掛合部も花入れによって不外見となる。特に花入れの中の茎Ｋが透視できる状態で不外見となる。したがって花入れ２が浮いた状態で外見されるので、非常にユニークな生け花を提供することができる。
【００１８】
図４ａに示すように吊り具１を連結して使用する場合、最下端の花入れ２は傾斜しているから、その口部２４は上方斜め方向に向き、またこれと直ぐ上の花入れ２との間には適当な間隔を形成している。したがってこの花入れには第３図と同じように矢印方向から花を簡単に挿入することができる。つまり最下端の花入れ２の口部２は天を向いていないので、この花入れの上方に花入れがあっても花を生けるのに障害になることはない。
また図４ｂに示す最下端の吊り具１の掛合部１３は長軸が傾斜し、またその位置が後方へずれてしまっているので、掛合部１３の上方は長軸６によって覆われているような状態になっている。したがって掛合部１３に別の吊り具の引っ掛け部を直接、引っ掛けるのは非常に困難となる。しかし挿入部１５の上方は長軸の傾斜が障害になることはなく、また支持部９あるいは花入れ２と長軸６の間隔が充分にあいているので、別の吊り具の引っ掛け部を挿入部に挿入させることは容易である。したがって図４ｂに示すように、最下端の吊り具１に別の吊り具１ａを連結する場合、引っ掛け部７ａを挿入部１５に挿入して矢印方向の下向きに降下させるだけで、誘導部１４に係合して掛合部１３へと滑り落ちていくので、確実に掛合部１３に引っ掛けることができる。明らかなように引っ掛け部７ａは掛合部１３に引っ掛けるためにわざわざ傾けたりしなくてもよいので、簡単に吊り具同士を連結させることができる。
【００１９】
図４ａからも明らかなように、このように連結された後の吊り具１ａは引っ掛け部７ａが略円形状であり、また掛合部１３が引っ掛け部７ａを嵌入できる程度の小振りのものであるから、簡単に掛合部１３から外れることは防止されている。そしてそれまで傾斜状態であった吊り具の長軸６は二点鎖線で示すように垂直方向に延び、また花入れは水平状態となるので、花入れは一層安定することになる。また連結側の吊り具１ａの花入れは花や水が入れられた後、これらの重量で傾斜角度はそれ以前よりも小さくなる。なお、上記吊り具１ａの連結形態は前述の説明のとおり引っ掛け部７が被引っ掛け部８に対し、垂直に交差しているので、連結するときにすべての吊り具の引っ掛け部７を同方向に統一すれば、図４に示すように花入れ２は長軸６の一側方に整列することになるが、交互に反対方向から引っ掛けると、長軸の両側に花入れを配設させることができる。後者の場合も前者と同じように連結後において吊り具の傾斜角度は小さくなるので、花入れはほぼ水平状態となる。
【００２０】
花入れは図１に示すように側面２１が底部２２に向かって細くなっているテーパ面状であるから、花入れ２はリング１１の中心からずれていてもリングに適当に挿入させれば、リング１１が傾斜していても簡単に係止させることができる。また花入れ２は側面２１の上部がリング１１に係止するので、極めて密接した状態で支持される。したがって吊り具１が傾斜していても、花入れ２はリング１１より抜け出たりすることが防止され、また安定した状態でリング１１に支持されているので、安心して使用することができる。
【００２１】
また花入れ２は図５に示すように、これに生けられた多数本の花の茎Ｋの下方は花入れの内側も底部に向かって細くなっているので、二点鎖線で示すように底部２２に集中することになるから、口部２４と底部２２によって集束させることができる。つまり茎を上下の二箇所で集束させることができるので、花入れ２が傾斜しても花が花入れより抜け出たりするのが防止される。また花入れ２がほぼ水平状態になっている場合、花をほぼ垂直方向の立状態に維持させることもできるので、吊り具１の挿入部１５方向へ花が倒れて、引っ掛け部７を挿入部１５へ挿入する際に花が障害になることを防止している。
なお、上記花入れのほかの実施形態としては、底部２２が小面積の平面であっても、また尖角状であってもよい。また花入れ２のリング１１による係止部分は上方であるほうが最も安定するが、例えばテーパ面の角度が緩やかな花入れの場合は、中間部より上方で係止されても安定状態を得ることは可能である。
【００２２】
図６ａおよび図６ｂは本発明の支持用花入れの実施形態である。これらの実施形態の花入れ３０の側面３１は断面が円形で、底部３２に向かって細くなっているテーパ面を形成している。図６ａの花入れ３０は前記の図５の花入れとよく似ているが底部が小面積の平面になっている。花入れに生けられた花の茎Ｋの下端は二点鎖線で示すように内側面に接触して底部に集中するので、余計な小道具を使わなくても安定した束状の生け花を提供することができる。また小道具を使用しないことによって、花の傷みは抑制されるので、長く観賞することができる。図６ｂの花入れ３０は底部が尖角状で、側面３１の上端が口部３４になっている。つまり実質的な底部はなく、側面３１が底部を兼ねているので、二点鎖線で示すように口部３４一杯に花を生けることが可能であるが、それらの花の茎Ｋは側面に沿って支持されるので、安定している。花入れの他の実施形態としては、図７に示すような花入れ出会ってもよい。要は側面がテーパ面で底部に「向かって細くなっていることが肝要である。
【００２３】
上記実施形態の花入れ３０は前記吊り具１に係止する方法と同じ要領で使用するか、あるいは図７に示す適当な大きさの孔４１が設けられている花入れ置き台４２に係止させて使用する。後者の場合、花入れ３０は側面３１の中間部から上方部までの間はどの位置で支持されても安定した状態で維持されるから、被支持部は広範囲である。したがって孔４１の大きさが前記被支持範囲内の大きさであれば、花入れを安定した状態で支持させることができるから、花入れごとに専用の花入れ置き台をわざわざ用意する必要がないので、非常に便利である。
【図面の簡単な説明】
【図１】本発明の実施形態の吊り具付き花入れの斜視図である。
【図２】図２ａは図１の側面図，図２ｂは同平面図である。
【図３】図３は使用例を示す吊り具付き花入れの斜視図である。
【図４】図４ａは使用例示図、図４ｂは連結方法の説明図である。
【図５】図５は花入れの斜視図である
【図６】図６ａおよび図６ｂは本発明の花入れの実施形態を示す斜視図である。
【図７】図６の使用例示図である。
【符号の説明】
１  吊り具
２  花入れ
３  引っ掛け部材
４  受け部材
５  線材
６  長軸
７  引っ掛け部
８  被引っ掛け部
９  支持部
１０  線材
１１  リング
１２  底部
１３  掛合部
１４  誘導部
１５  挿入部
２１  側面
２２  底部
２３  肩部
２４  口部
３０  花入れ
３１  側面
３２  底部
３４  口部
４１  孔
４２  花入れ置き台
１ａ  連結側吊り具
７ａ  引っ掛け部
Ｔ  天井
Ｈ  フック
Ｆ  花
Ｋ  茎
Ｃ    中心線
Ｋ  茎
Ｓ  正面
【図１】
2004337226.tif 000003
【図２】
2004337226.tif 000004
【図３】
2004337226.tif 000005
【図４】
2004337226.tif 000006
【図５】
2004337226.tif 000007
【図６】
2004337226.tif 000008
【図７】
2004337226.tif 000009